(57)【要約】  本発明は、試料、特に試料カードに適用される、好ましくは血液、唾液等のDNAを含む液体の乾燥試料を処理するための打抜き装置に関し、パンチおよび下型を有する少なくとも１つの打抜き手段であって、パンチが待機位置および打抜き位置の間を移動可能であり、打抜き手段が受容開口部を有し、試料カードが可動グリッパユニットによって導入されて打抜き手段に対して配置される、打抜き手段と、パンチを駆動する打抜き駆動部とを備える。打抜き手段は、試料カードから打抜かれた試料片が下型の出口開口部で打抜き手段の下に配置された受け容器の受け凹部に排出されるように設計される。装置は、受け容器を支持し、受容板の少なくとも一部を照らす光源を有する受容板を備え、受容板に配置された受け容器、特に受け凹部が下から照らされるように光源が配置される。さらに、本発明の打抜き装置による打抜き操作結果を評価する方法に関する。
2014513295.tif 000002
【特許請求の範囲】
【請求項１】
試料カード（２２）に適用された、好ましくは血液、唾液等のＤＮＡを含む液体、特に乾燥試料（３６−１．．．３６−４）を処理するための打抜き装置であって、該打抜き装置は、
パンチおよび下型を有する少なくとも１つの打抜き手段（１１０）であって、前記パンチは、前記下型から離れた休止位置および前記下型に近い打抜き位置の間で移動可能であり、かつ前記打抜き手段（１１０）は、受容開口部を有し、試料カード（２２）は、前記打抜き装置（１０）の可動グリッパユニット（３００）によって前記受容開口部内に導入可能であり、かつ前記打抜き手段（１１０）に対して配置可能なである、少なくとも１つの打抜き手段と、
前記打抜き手段（１１０）の前記パンチに連結可能、または連結された打抜き駆動部（１４）であって、それによって前記休止位置および前記打抜き位置間の前記パンチの動きが駆動され、前記下型の出口開口部において、前記打抜き手段（１１０）の下に配置された受け容器（１２）の受け凹部（２８）に、前記試料カード（２２）から打抜かれた試料片（２７４）を分配することができるように、前記打抜き手段（１１０）がセットされる、打抜き駆動部（１４）と、
を備え、
該打抜き装置は、受容板（２１０）を有し、該受容板は、受け容器（１２）を支持するとともに前記受容板（２１０）の少なくとも一部を照らす光源（２１２）を有し、前記受容板（２１０）の上に配置された受け容器（１２）の少なくとも一部、特に前記受け容器（１２）に設けられた受け凹部（２８）を、前記受容板（２１０）の方向、特に下から照らすことができるように、前記光源（２１２）が配置されていることを特徴とする打抜き装置。
【請求項２】
光源として少なくとも１つの電界発光膜（２１２）が前記受容板（２１０）に設けられていることを特徴とする、請求項１に記載の打抜き装置。
【請求項３】
前記受容板（２１０）が透明板、好ましくはガラス板であり、前記ＥＬ膜（２１２）が好ましくは、前記受容板（２１０）の下側に配置されることを特徴とする、請求項２に記載の打抜き装置。
【請求項４】
前記打抜き装置が画像撮像装置（１８）をさらに備え、それにより少なくとも部分的に撮像されるべき要素、特に前記受容板（２１０）に配置された受け容器（１２）、または前記受け容器（１２）に設けられた受け凹部（２８）が、前記画像撮像装置（１８）の画像平面および前記光源（２１２）の間に配置されるように、前記光源（２１２）が画像撮像平面から見て、撮像されるべき前記要素（１２）の後ろに配置されるように、前記画像撮像装置（１８）が配置されることを特徴とする、請求項１〜３のいずれか一項に記載の打抜き装置。
【請求項５】
前記打抜き装置が移送フレーム（２１４）を有し、該移送フレームは、前記受容板（２１０）の上に載置され、かつ前記移送フレーム（２１４）に受容可能な少なくとも１つの受け容器（１２）を前記板平面において移動することが可能であることを特徴とする請求項１〜４のいずれか一項に記載の打抜き装置。
【請求項６】
前記受容板（２１０）が、前記受容板（２１０）の上における前記移送フレーム（２１４）の前記移動を可能にする駆動ユニット（２３０）のためのハウジング（２２０）のカバーを形成していることを特徴とする、請求項５に記載の打抜き装置。
【請求項７】
前記移送フレーム（２１４）は、磁石（２４２，２４４，２５２，２５４）によって非接触方法で、前記受容板（２１０）に覆われた前記駆動ユニット（２３０）に連結されることを特徴とする、請求項６に記載の打抜き装置。
【請求項８】
グリッパユニット（３００）が試料カードグリッパ手段と、受け容器（１２）のためのさらなるグリッパ手段とを備え、受け容器（１２）は、前記グリッパユニット（３００）によって前記受容板（２１０）の外側の待機位置（２１１）から前記受容板（２１０）上の処理位置へ、およびその逆方向に運搬可能であることを特徴とする、請求項１〜７のいずれか一項に記載の打抜き装置。
【請求項９】
受け容器（１２）が前記グリッパユニット（３００）によって前記移送フレーム（２１４）に向かって、および前記移送フレーム（２１４）から離れて移動することができるように前記グリッパユニット（３００）が構成されていることを特徴とする、請求項５を引用する場合の請求項８に記載の打抜き装置。
【請求項１０】
特に請求項１〜９のいずれか一項に記載の打抜き装置（１０）による少なくとも１つの打抜き操作結果を評価する方法であって、
打抜き手段（１１０）によって少なくとも１つの試料カード（２２）から少なくとも１つの試料片（２７４）を打抜くステップと、
前記少なくとも１つの試料片（２７４）を受け容器（１２）、特に前記受け容器（１２）の受け凹部（２８）に受容するステップと、
光源（２１２）によって前記受け容器（１２）または前記打抜かれた試料カード（２２）を照らすステップと、
画像撮像装置（１８）によって前記受け容器（１２）の画像または前記打抜かれた試料カード（２２）の画像を撮像するステップであって、前記画像撮像装置（１８）に到達する前記光源（２１２）からの光が前記受け容器（１２）または前記試料カード（２２）の半透明部分を通過するように、前記受け容器（１２）または前記打抜かれた試料カード（２２）が前記光源（２１２）および前記画像撮像装置（１８）の画像撮像平面の間に配置される、ステップ
とを備える、方法。
【請求項１１】
どの前記画像の点において前記光源（２１２）の光が通過する、または覆われるかを定めるように、前記画像撮像装置（１８）によって撮像された画像が評価される、請求項１０に記載の方法。
【請求項１２】
前記受け容器（１２）の少なくとも１つの受け凹部（２８）が試料カード（２２）から打抜かれた少なくとも１つの試料片（２７４）を含むかどうかの評価が前記受け容器（１２）の画像において行われ、前記試料片（２７４）は、前記光源（２１２）からの光が通過することを少なくとも部分的に妨げる、請求項１０または１１に記載の方法。
【請求項１３】
前記試料カード（２２）のどの点において、前記光源（２１２）からの前記光が通過する打抜かれた開口部（４２）が存在するかの評価が前記試料カード（２２）の画像において行われる、請求項１０〜１２のいずれか一項に記載の方法。
【請求項１４】
前記光源（２１２）が可視波長範囲、特に例えば青、緑、赤等の所望の色に対応する波長の光を放射する、請求項１０〜１３のいずれか一項に記載の方法。
【請求項１５】
前記打抜き操作の正しい進捗を確認するために、撮像された画像の評価結果が既知の比較値と比較され、確認は、既に打抜かれた試料片（２７４）が所定の受け凹部（２８）に含まれるかどうかに関して好ましく行われ、または／および、前記試料カード（２２）の予め定められた点において前記打抜きが行われたかどうかを好ましく決定する、請求項１０〜１４のいずれか一項に記載の方法。
【発明の詳細な説明】
【技術分野】
【０００１】
本発明は、試料カードに適用された特に血液、唾液等などのＤＮＡを含む液体の乾燥試料を処理するための打抜き装置に関する。
【背景技術】
【０００２】
このような打抜き装置において、複数の試料カードは、試料カード用のマガジンに保持され、グリッパユニットによって特定の順番でマガジンから取り出されて、打抜き装置の打抜き手段に供給される。あらかじめ撮像によって撮像された部分において適用された試料は、試料カード上で特定されており、少なくとも１つの試料片が試料カードから打抜かれる。また、複数の試料片は、同時に、または連続して同じ試料領域から打抜かれることが可能である。打抜かれた試料片は、打抜きピン（パンチ）の動きにより下部ダイの出口開口部を通り誘導され、このようにして受け容器の受け凹部、好ましくはマイクロタイタープレートのウェルに移される。なるべく早く試料片は、全ての所望の試料カードから打抜かれ、かつ受け容器内に収容され、試料片に含まれる個々の試料の分析がＤＮＡ分析のためのＰＣＲ法、高性能ガスクロマトグラフィー（ＨＰＬＣ）等などの方法によって行われ、この目的のために本願の技術的範囲においては詳細に述べられていないさらなるステップが打抜きの後に実行される。
【０００３】
試料カードから試料片を自動的に打抜く方法および装置は、例えば特許文献１から知られている。
【０００４】
さらに、上述のタイプの打抜き装置は、BSD Robotics(オーストラリア、クイーンズランド州４１１０、ブリズベンのLuminex Company)の「BSD1000-GenePunch」が知られている。関連する製品パンフレットは、本願の出願時においては以下のインターネットアドレス（http://www.bsdrobotics.com/Documents/Brochure/BSDR1000(10)%20-%20BSD1000%20GenePunch.PDF）より入手可能である。さらに、この打抜き装置の操作モードは、本願の出願時においては以下のインターネットアドレス（http://www.bsdrobotics.com/Videos/BSD1000.wmv）から入手可能なビデオファイルに開示されている。
【０００５】
以下の運転モードは、ビデオフィルムで見ることができる。「ＢＳＤ１０００−ＧｅｎｅＰｕｎｃｈ」打抜き装置において、試料カードのためのグリッパ装置は、マガジンから移動し、グリッパ装置は、スキャナに対して水平に延在するレールに沿って試料カードをそこから取り出し、該スキャナに試料カードが導入されて、その後スキャンされる。この場合グリッパ装置は、互いに直交する２方向に移動可能であり、それらは特にレールに沿う方向、および直交する方向であり、把持された試料カードは、カード平面内において二次元に移動可能である。スキャン後、試料カードは、グリッパ装置によって打抜き装置の打抜き手段へ移送され、かつ前記打抜き手段に対して配置されて、スキャン後に評価された試料カードの位置において試料片を打ち抜くことができる。その後打抜かれた試料片は、打抜き手段の下に配置された受け容器、例えばマイクロタイタープレートのウェルに分配される。この打抜き装置の場合、複数の受け容器は、水平面に直交する回転軸の周囲に星形に配置され、かつ打抜き手段に対するその配置は、特に特定のウェルにおいて、回転移動および水平面での移動によって行われる。１または複数の試料片の試料カードからの打抜きが完了した後、グリッパ装置は、打抜かれた試料カードをレールに沿って後にカードマガジンへ移送し、再度そこに降ろす。そして、次の試料カードをマガジンから取り出すことができるようにカードマガジンが１つ上方の位置に移動するまで、グリッパ装置は、一時的に後退する。
【０００６】
したがって一般論として、従来技術から知られる打抜き装置は、パンチおよび下型を有する少なくとも１つの打抜き手段であって、パンチは、下型から離れている休止位置と、下型に近い打抜き位置との間で移動可能であり、かつ打抜き手段は、打抜き装置の可動グリッパユニットによって試料カードがその中に導入可能であり、かつ試料カードが打抜き手段に対して配置可能な受容開口部を有する打抜き手段と、打抜き手段のパンチに連結可能、または連結された打抜き駆動部であって、それによって休止位置および打抜き位置の間のパンチの動きが駆動され、試料カードから打抜かれた試料片が、下型の出口開口部において打抜き手段の下に配置された受け容器内の受け凹所に分配されるように、打抜き手段がセットされる、打抜き駆動部とを備える。
【先行技術文献】
【特許文献】
【０００７】
【特許文献１】米国特許第５，６４１，６８２号明細書
【発明の概要】
【発明が解決しようとする課題】
【０００８】
既知の打抜き装置では、試料片が打抜かれる前に試料カードをスキャンおよび分析することができるが、例えば試料片が実際に受け容器の所望の受け凹所内に到達または収容されたかどうかを確認するような、打抜き操作の結果を確認するオプションはない。
【０００９】
したがって、本発明の目的は、打抜き操作の確認のためのオプションを改善することである。
【課題を解決するための手段】
【００１０】
この目的を達成するために、打抜き装置は、受け容器を支持するとともに受容板の少なくとも一部を照らす光減を有する受容板を有し、受容板に配置された受け容器の少なくとも一部、特に前記受け容器に設けられた受け凹部を、受容板の方向、特に下から照らすことができるように光源が配置される、ということが本発明により提案される。
【００１１】
このような光源の配置により、受け容器の後ろから光をあてることが可能となり、光源から放射される光は、受け容器を通過する。受け容器を上から見る場合、個々の受け凹部、特にマイクロタイタープレートのウェルを認識することができ、かつさらに受け凹部内に収容される試料片は、放射される光を覆うため、暗い斑点として目立つ。このように、試料片がまた所望の受け凹部に収容されているかどうかを確立することができる。光源が受容板に設けられている、または受容板と一体化しているため、このような確認を個々の打抜きの各後で容易に、任意に、行うことができ、後から光を当てる目的のために、受け容器は、光源の上に配置されなければならず、光源は、打抜き手段から近い距離に配置され、打抜き操作の間受け容器が打抜き手段の下に配置される。
【００１２】
好ましくは、光源として受容板の上に少なくとも１つの電界発光膜が設けられる。このようなＥＬ膜は、省スペースな方法で受容板に適用することができ、かつ特に２次元領域を最適に照らすことができる。さらに、特定の色の光を放射するＥＬ膜を選択することができ、色は、分析中に実行されるべき画像処理ステップに関して選択することができる。
【００１３】
好ましくは、受容板は透明板、好ましくはガラス板であり、ＥＬ膜は、好ましく受容板の下側に配置されている。ＥＬ膜のガラス板より下の配置、または受け容器と反対側の配置により、完全に滑らかな上面が可能となり、その上で受け容器が受容板に対して摺動する方法で動くことができる。
【００１４】
発展形において、打抜き装置が画像撮像装置を備え、それにより少なくとも部分的に撮像される要素、特に受容板上に配置された受け容器、または前記受け容器に設けられた受け凹部が画像撮像装置の画像平面および光源の間に配置されるように、画像撮像面から見て光源が撮像される要素の後ろに配置されるように、画像撮像装置を配置することが提案される。例えば正しい点で試料カードが打抜かれたかどうかを確認するために、撮像される適切な要素はまた、試料カードとすることができる。この場合、ＥＬ膜によって放射される光は、打抜きの際に作られた穴を通過し、これは、上から、特に画像撮像装置から見た場合に、ＥＬ膜の色の点として特定できる。
【００１５】
受容板の上を受け容器が移動可能とするために、打抜き装置は、受容板が載置される移送フレームを有し、前記移送フレーム内に受容可能である少なくとも１つの受け容器を板面において移動することができることが提案される。
【００１６】
受容板が駆動ユニットのためのハウジングのカバーを形成することがさらに好ましく、該駆動ユニットは、受容板上での移送フレームの移動を可能にするこの場合駆動ユニットは、受容板によって打抜きの間に生じるちり粒子から保護される。
【００１７】
移送フレームは、好ましくは磁石によって非接触方法にて受容板によって覆われる駆動ユニットに連結される。
【００１８】
駆動ユニットおよび移送フレーム間の磁気連結により、移送フレームまたはそこに収容される受け容器の、打抜き手段に対する、または画像撮像装置およびＥＬ膜に対する十分正確な位置決めが可能となる。好ましくは、移送フレームは、複数の点で個々の磁石を介して駆動ユニットに連結されるため、移送フレームの位置決めにおける重大なエラーを防ぐために駆動ユニットおよび移送フレーム間の相対移動は、できるだけ小さく保つことができる。
【００１９】
グリッパユニットが試料カードグリッパ手段および受け容器のためのさらなるグリッパ手段を備えることが好ましく、受け容器は、受容板の外側の待機位置から受容板上の処理位置へ、およびその逆向きにグリッパユニットによって運搬可能である。
【００２０】
この場合、グリッパユニットによって受け容器を移送フレームへ、および移送フレームから動かすことができるようにグリッパユニットを構成することができる。
【００２１】
目的を達成するためにさらに提案されるのは、特に上述の特徴の１つを有する打抜き装置による、少なくとも１つの打抜き操作の結果を評価する方法であり、該方法は、以下のステップを備える：
打抜き手段によって少なくとも１つの試料カードから少なくとも１つの試料片を打抜くステップと、
少なくとも１つの試料片を受け容器、特に受け容器の受け凹部に受容するステップと、
受け容器または打抜かれた試料カードを光源で照らすステップと、
画像撮像装置によって受け容器または打抜かれた試料カードの画像を撮像するステップであって、画像撮像装置に到達する光源からの光が受け容器または試料カードの半透明部分を通過するように、受け容器または打抜かれた試料カードが光源および画像撮像装置の画像撮像平面の間に配置される、ステップ。
【００２２】
この方法において、どの画像の点において光源からの光が通過するか、または覆われるかを確立するように、画像撮像装置により撮像された画像を評価することがさらに提案される。
【００２３】
受け容器の少なくとも１つの受け凹部が試料カードから打抜かれた少なくとも１つの試料片を含むかどうかの評価は、好ましく受け容器の画像においてなされ、前記試料片は、光源からの光が通過することを少なくとも部分的に妨げる。受け凹部内の試料片は、その下に配置された光源を覆うため、それらは、画像平面の方向においてより暗い、無照射領域として認識される。この場合、各試料片は、受け凹部内の位置および向きに関わらず、残りのバックグラウンドと対照的により暗い領域を原則として形成するため、打抜かれた試料片が受け凹部の中央に、または受け凹部の端の近くに配置されていることは無関係である。
【００２４】
光源からの光が通る試料カードの打抜かれた開口部の点が存在するかどうかに関しての評価が、試料カードの画像において好ましくなされる。結果として、打抜かれた穴が試料カードの予め定められた点に実際に存在するかどうかを確立することができる。試料カードが既に１または複数の打抜かれた穴を有するかどうかを原則として確認することがさらに可能である。これは、例えば試料片がいくつかのサイクルにおいて異なる点で試料カードから打抜かれることが意図されている場合、前記試料片が同じ試料のいくつかの独立した分析を行うために異なる受け容器に割り当てられることになっていることに関連する。
【００２５】
光源は、可視波長範囲の光、特に、例えば青、緑、赤等の所望の色に対応する波長の光を放射することがさらに好ましい。
【００２６】
撮像された画像の評価結果は、打抜き操作の正しい進捗を確認するために、好ましく既知の比較値と比較されることができ、前に打抜かれた試料片が所定の受け凹部に含まれるかどうかに関して確認が好ましく行われる、または／および試料カードの予め定められた点において打抜きが行われたかどうかを好ましく決定する。
【００２７】
本発明は、添付図を参照して、一例としておよび非限定的な方法で以下に説明される。
【図面の簡単な説明】
【００２８】
【図１】計量装置と組み合わせた打抜き装置の概略斜視図を示す。
【図２】計量装置およびグリッパユニットがない打抜き装置の概略斜視図を示す。
【図３】試料片を打抜く前の試料カード（図３ａ）および打抜かれた後の試料カード（図３ｂ）を図式的に示す部分的な図ａ）およびｂ）を示す。
【図４】部分的な図ｂ）においては、光源の領域内に受け容器が配置されている、打抜き装置の斜視図を部分的な図ａ）およびｂ）で示す。
【図５】ハウジングと、ハウジングをカバーする受容板上の受け容器を動かすためのハウジング内に収容される駆動ユニットとの、図４ａの断面ラインＶ−Ｖに対応する断面図を示す。
【図６】ハウジングおよび受容板上の受け容器を動かすためのハウジングに収容される駆動ユニットの、図４ｂの断面ラインＶＩ−ＶＩに対応する断面図を示す。
【図７】長方形のダッシュ線によって図６に示された領域ＶＩＩの拡大図を示す。
【図８】光源によって後ろから照らされた受け容器および分析法のための評価可能領域の平面の簡略化された概略図を示す。
【発明を実施するための形態】
【００２９】
図１は、計量装置５００に任意に結合された打抜き装置１０の全体図を示す。ここに示される組み合わせにおいて、打抜き装置１０および計量装置５００は、主方向Ｘ，Ｙ，Ｚの１方向、すなわち長手方向Ｘに移動可能な共通の支持部５０を使用する。この目的を達成するために、支持部５０は、支持構造５２の上部領域において、ローラー５４によって縦方向レール（不図示）に取り付けられ、該支持構造は、ここでは一部しか図示されていない装置全体のために設けられている。もちろん、支持部５０のための駆動装置（不図示）がまた存在し、前記駆動装置は、装置全体の制御ユニット（同様に不図示）を介して動かされる。
【００３０】
計量装置は、他の２つの主方向Ｙ，Ｚつまり、横方向Ｙおよび垂直方向Ｚで移動可能なとなるように支持部５０に取り付けられたピペット装置５０２を備える、該ピペット装置は、設けられた受け容器１２または計量されるべき液体のリザーバーへ／から液体を吸引かつ分配するための少なくとも１つのピペットチャネル５０４を有する。計量装置５００は、自体公知であり、ここでは詳細を説明しない自動ピペッタとして構成されている。
【００３１】
支持部５０のピペット装置５０２と反対側に取り付けられているのは、グリッパユニット３００であり、それは同様に２つの他の主方向Ｙ，Ｚで移動可能となるように構成されている。このグリッパユニット３００は、本実施例において、ピペット装置５０２と共同で使用される支持部５０に取り付けられているとしても、本願の範囲内においては打抜き装置１０に属しているものとして考慮されるべきである。さらに、打抜き装置１０は、さらなる主構成要素として、打抜き駆動部１４、打抜き手段１１０、画像撮像装置１８および受容板２１０を備える。さらに、各場合において複数の試料カード２２（図３）のためのマガジン２０が図１に示されている。グリッパユニット３００によって、試料カードは、マガジン２０から取り出され、かつ打抜き手段１１０に供給されることにより、打抜き手段１１０によって少なくとも１つの試料片がそれぞれの試料カードから打抜かれることが可能となる。
【００３２】
その自給式構造により、打抜き装置１０から容易に分離されることが可能なモジュール式打抜き手段１１０の機能は、本願の範囲においては一部のみが説明される。モジュール式打抜き手段（打抜きヘッド）１１０の構成に関する詳細については、「モジュール式打抜き手段を有する打抜き装置」と題した本出願人によって同時に提出された出願（出願番号第ＤＥ１０２０１１ＸＸＸＸＸＸ．Ｘ号）が参照され、その内容は、打抜き手段の構成に関する参照としてここに組み込まれる。
【００３３】
グリッパユニット３００の機能は、同様に本願の範囲においては一部のみが説明される。グリッパユニットの構成およびその打抜き装置または本願の打抜き手段との相互作用の詳細については、「グリッパユニットを有する打抜き装置」と題した本出願人によって同時に提出された出願（出願番号第ＤＥ１０２０１１ＸＸＸＸＸＸ．Ｘ号）が参照され、その内容は、グリッパユニットの構成に関する参照としてここに組み込まれる。
【００３４】
画像撮像装置１８が受容板２１０の照射領域２１２の実質的に垂直上方に配置されることが図２の概観図からまた明らかである。この照射領域２１２は、受容板に収容される、またはその後側に配置される電界発光膜によって好ましく形成される。後から照らされたマイクロタイタープレート１２またはその一部の画像が画像撮像装置１８によって撮像されることができるように、その上に配置されたマイクロタイタープレート１２は、ＥＬ膜２１２によって後ろから照らされることができる。１または複数のマイクロタイタープレート１２は、受容板２１０上において移送フレーム２１４に収容され、移送フレーム２１４は、磁石（不図示）を介して受容板２１０の下に配置された駆動ユニットに結合され、かつこの駆動ユニットによって固定の打抜き手段１１０に対して受容板２１０の上で動くことが可能である。結果として、打抜かれた試料片がこの受け凹部に落ちるように、またはそこに収容されるように、特に受け容器１２の受け凹部２８を打抜き手段１１０の下に正確に配置することができる。画像撮像装置１８の両側に設けられるのは、代替の照射手段のための保持部１６であり、該照射手段が要素、好ましくは画像撮像手段１８の下に配置された試料カードを上から照らすことにより、試料カードのための画像処理プロセス、例えばバーコード等の認識が実行される。
【００３５】
図３は、部分的な図ａ）およびｂ）において、試料カード２２の例を示す。試料カードは、一種の開口部３０を有し、そこに吸収性材料３２、例えばろ紙等が見える。少なくとも１つの試料領域が吸収性材料上で特定され、かつこの場合、点線の円で描かれた４つのこのような試料領域３４−１〜３４−４がある。血液、唾液または他の液体などの試料が試料カード２２によって収集される場合、液体試料は、できるだけ印の付いた試料領域３４−１〜３４−４内に沈殿することが意図されている。本実施例において、例えば血液の滴、または唾液の試料などの異なる大きさの試料３６−１〜３６−４が、対応する試料領域３４−１〜３４−４に沈殿している。この場合、試料３６−４は、試料領域３４−４のマーキング内に完全には配置されておらず、このためそれに対応して、この試料は、無効であるとして試料ドナーまたは医療スタッフメンバーによって試料領域３４−４の上にバツ印３８が示される。試料カードが特定される、および試料ドナー、収集機関等に対して割り当てられることができるように、コード（バーコード、２Ｄバーコード等）４０がまたカード上の吸収性材料３２の下に設けられている。また製造業者の情報、カードの目的に関する情報、または試料液体に関する情報等のさらなる情報を試料カード２２に含む、またはプリントすることができる。液体で適用される試料３６−１〜３６−４は、吸収性材料３２によって吸収され、その後乾燥される。乾燥後、試料片は、打抜き手段１１０によって試料３６−１〜３６−４から打抜かれることができる。複数の試料片が試料３６−１〜３６−３から打抜かれた後、試料カード２２は、図３ｂに白抜きの穴４２によって示される。どの試料片、およびどの順で試料片が打抜かれるかは、例えば画像処理によって確立されることができ、印がつけられた試料領域３４−１〜３４−４（例えばバツ印３８を用いることにより）内に試料が位置するかどうか、試料３６−１〜３６−４が試料領域３４−１〜３４−４内のどこに位置するか、およびどのような境界（試料３６−１の場合は点線４４によって示される）を有するかを検出することが第一に可能である。このような情報および打抜かれるべき所望の数の試料片を用いて、試料片が打抜かれるべき場所を特定することができる。したがって、所定の点の試料片が打抜かれるように、試料カード２２が打抜き手段に対して配置されることが可能である。ここに描かれた試料カードの形は、単なる一例であり、かつ試料カードは、他のフォーマット、または多少小さい、または大きい試料領域３４などを有することができる。
【００３６】
図４は、部分的な図ａ）およびｂ）において、受容板２１０上に配置された可動移送フレーム２１４を有する打抜き装置１０を示し、一例として２つの受け容器１２が該移送フレーム上に配置されている。図４ａ）において、移送フレームは、光源２１２の上には配置されていない位置にある。図４ｂ）においては、移送フレームは、光源２１２の上に配置されているため、光源２１２によって下から受け容器１２を照らすことができる。電界発光膜として好ましく構成された光源２１２は、光源２１２の実質的に垂直上方に配置された画像撮像装置１８の点線によって示される視野２１８内に少なくとも部分的に配置される。画像撮像装置１８は、下に配置された打抜き手段１１０によって視野２１８が損なわれないように、打抜き装置１０の支持構造２４の支持部２５においてＸ方向に配置される。ＥＬ膜２１２は、接続部２１６を介して図示されない関連する電源およびコントローラ、例えばインバーター等に接続される。符号２１１に設けられるのは、受容板２１０の隣りの待機位置または移送位置であり、この点において打抜き前または後に１または複数の受け容器１２を一時的に格納することができる。
【００３７】
受容板２１０は、透明および特に耐磨耗性材料、例えば適切なガラスまたはプラスチック材料から好ましく作られる。その上でスライドさせて移送フレーム２１４を動かすことができる受容板２１０は、また同時に箱状ハウジング２２０のカバーとなり、図４の視野方向において該ハウジングの後側２２２には、打抜き装置１０の支持構造２４の支持部２２４が取り付けられている。受容板２１０は、それを支持する包囲板縁２２６を有する。この境界２２６内において、移送フレーム２１４は、ハウジング２２０内に収容された駆動ユニット２３０（図４には見えない）によって受容板２１０上の任意の所望の位置に動くことができる。
【００３８】
駆動ユニット２３０は、図５〜図７の断面図を参照して以下に説明される。駆動ユニット２３０は、２つの個別の駆動部２３２，２３４を備え、それらは、Ｘ方向（駆動部２３２）およびＹ方向（駆動部２３４）に移送フレーム２１４を動かすようにセットされている。その角領域２３６において、移送フレーム２１４は、支持脚２３８を有し、そこに球形の、または球形キャップ形状の摺動部材２４０が配置されて、そこに受容板２１０（図７）が載置される。摺動部材２４０の形により、移送フレーム２１４をその４つの角２３６において点で受容板２１０に載置することができるため、移送フレーム２１４および受容板２１０の間の摩擦抵抗は、できる限り小さく保つことができる。移送フレーム２１４の中央部分において、結合磁石２４２が見え、それは、受容板２１０の上に少し離れて配置されている。またさらなる結合磁石２４４を支持脚２３８の領域に設けることができ、かつ好ましくは、支持脚２３８または／および摺動部材２４０自体が結合磁石２４４として機能する。
【００３９】
受容板２１０の下に、移送フレーム２１４の下側の逆側に配置された駆動フレーム２４６が駆動ユニット２３０のハウジング２２０内に設けられており、前記駆動フレーム２４６は、レール状支持部２４８に支持され、かつこの支持部２４８に沿って駆動部２３４によってＹ方向に動くことができる。その上側において、駆動フレーム２４６は、複数の結合磁石２５２，２５４を有し、それらは移送フレーム２１４の結合磁石２４２，２４４に動作可能に接続されるように配置されて、受容板２１０を通る駆動フレーム２４６および移送フレーム間の磁気結合が可能となる。駆動フレーム２４６および移送フレーム２１４間のこの非接触の磁気結合により、受容板２１０に載置された移送フレーム２１４は、受容板２１０の下の駆動フレーム２４６の１または複数の移動に追従する。
【００４０】
レール状支持部２４８は、レール状支持部に直角に配置され、かつ駆動部２３２に接続されたスライドレール２５０に一部が支持されているため、支持部２４８は、駆動部２３４によってスライドレール２５０に沿ってＸ方向に動くことができる。したがって、Ｙ方向のための駆動部２３２は、同様にＸ方向に移動可能な支持部２４８との結合によりＸ方向に動くことができるため、駆動フレーム２４６はまた、ＸおよびＹの両方向に重畳移動を行うことができる。ベルト駆動は、駆動部２３２および２３４の一例としてここに示される。しかし、例えばスピンドル駆動、リニアモーター等の他の駆動もまた適している。駆動部２３２および２３４を有する駆動ユニット２３０は、ハウジング２２０および受容板２１０によって外部に対して保護され、打抜き手段１１０（図４）に設けられた吸引−排出装置によって一般的に完全には除去されない打抜き中に生じるちり粒子の侵入を防ぐことができる。図７の拡大断面図は、受容板２１０の下側に取り付けられた好ましい形の電界発光膜２１２における光源２１２をさらに示す。そうでなければ、受容板２１０はさらに、その下側にさらなる板またはコーティング２６０を有し、ＥＬ膜２１２は、受容板２１０およびこの板／コーティング２６０の間に好ましく収容される。受容板２１０は、好ましく透明に構成され、かつハウジング２２０の中をのぞき、かつ駆動ユニット２３０を見ることができないように、板／コーティング２６０は、透明性のない、または不透明な材料から作ることができる。結果として、画像撮像装置１８のために受容板２１０の全面に亘ってニュートラルなバックグラウンドを作ることができる。しかし、あるいは板／コーティング２６０も透明にすることができる。ＥＬ膜２１２が光を発するように作られている場合、その光は受容板２１０を通り上方へ（Ｚ方向）に放射され、その上に配置された要素、例えば移送フレーム２１４上に配置された受け容器１２、またはグリッパユニット３００（図１）によって保持される試料カード２２（図３）が下から照らされる。
【００４１】
また背面照射として知られるこの下からの照明は、極めて簡略化された概略図にて図８に示されている。図８は、受け凹部２８を有する受け容器１２の平面図を示す。これは、ウェル２８を有するマイクロタイタープレート１２とすることができる。受け容器１２は、ここでは灰色で示されたＥＬ膜２１２の上に少なくとも部分的に配置される。好ましくは透明の受け容器１２の受け凹部２８は、ＥＬ膜２１２によって下から照らされて、その光が受け凹部２８を通過する。受け容器１２または少なくともその一部の画像は、画像撮像装置１８（図４）によってその視野２１８内で撮像することができる。受け凹部２８の輪郭２７２は、例えば画像処理ソフトウェアまたは使用者によって特定される分析領域２７０における画像処理によって検出されることができ、かつその位置は、決定される。さらに、受け凹部２８に収容され、かつ試料カードから打抜かれた試料片２７４を検出することができ、前記試料片２７４は、ＥＬ膜２１２による背面照射により暗い点状領域として現れる。画像処理により、特定の受け凹部２８に対する試料片２７４の割り当てをさらに特定または確認することができる。固定の画像撮像装置１８に対する受け容器１２の位置についてのデータを含むことにより、受け容器１２の受け凹部２８が分析領域２７０内に位置していることを判定することができる。例えば画像撮像装置１８によって撮像された画像を分析領域２７０と共に打抜き装置１０の制御装置に接続されたモニタ上に表示することができる。そして、例えば検出されたがなおも空の受け凹部２８をこの表示においてバツ印２７８によってマークしかつ視覚化することができる。
【００４２】
もちろん、試料カード２２の打抜かれた穴４２（図３）の存在を画像撮像装置および画像処理によって確認することができ、試料カードは、同様にこの目的のためにＥＬ膜２１２によって下から照らされる。そして打抜かれた穴は、画像撮像装置によって撮像された画像において、ＥＬ膜２１２によって放射された光の色の点状の領域として現れる。図８および図３ｂの組み合わせから、試料カードがグリッパユニット３００によってＥＬ膜２１２の上に配置される場合は、図３ｂにおいて白く示された打抜かれた穴４２は、図８では灰色に示されることを意味する。
【００４３】
したがって、試料カードから試料片を打抜く間、およびこれら試料片を特定の受け凹部に導入する間に全てが正確に進むことを確立するために、ＥＬ膜２１２の受容板２１０への組み込みは異なる分析方法ステップを実行することができる。打抜き手段１１０の下の位置からＥＬ膜２１２の上、かつ画像撮像装置１８の下の位置への受け容器１２の移動は、例えば打抜かれたばかりの試料カードがマガジンへ戻され、かつグリッパユニット３００によって降ろされる場合に行うことができる。したがって、打抜かれた試料カードが打抜き手段から離れてマガジンへ移送され、かつ新しい試料カードがマガジンから打抜き手段へ移送される間の期間は、打抜かれたばかりの試料片が正しい（所定の）受け凹部に到達しているかどうかを確認することに同時に使用することができる。試料片が含まれるべき受け凹部に試料片が検出されない場合は、エラーメッセージを出力し、自動プロセスを停止することができる。このような分析オプションおよびステップは、試料カードから打抜かれた試料片の受け容器の受け凹部への正しい割り当ての信頼性を高める。これは、自動的に実行される試料片の分析結果が試料ドナーとして誤った人に割り当てられるというリスクを最小にする。ここで述べられる分析ステップは、一例であり、制限として理解されるべきではない。自動打抜きプロセスを実行するために、例えば打抜き装置１０の制御ユニット、および任意に計量装置５００によって取り込まれることができる画像、位置センサ等の異なるソースからのデータを組み合わせることにより、さらなる情報を得ることができることは明らかである。
【符号の説明】
【００４４】
１０  打抜き装置
１２  受け容器
１４  打抜き駆動部
１６  保持部
１８  画像撮像装置
２０  マガジン
２２  試料カード
２４  支持構造
２８  受け凹部
３２  吸収性材料
３４−１〜３４−４  試料領域
３６−１〜３６−４  試料
３８  バツ印
４２  穴
５０  支持部
５２  支持構造
１１０  打抜き手段
２１０  受容板
２１２  光源
２１４  移送フレーム
２１８  視野
２２０  ハウジング
２２４  支持部
２３０  駆動ユニット
２３２，２３４  駆動部
２３８  支持脚
２４０  摺動部材
２４２，２４４  結合磁石
２４６  駆動フレーム
２４８  レール状支持部
２５０  スライドレール
２５２，２５４  結合磁石
２７０  分析領域
２７４  試料片
３００  グリッパユニット
５００  計量装置
５０２  ピペット装置
【図１】
2014513295.tif 000003
【図２】
2014513295.tif 000004
【図３ａ】
2014513295.tif 000005
【図３ｂ】
2014513295.tif 000006
【図４】
2014513295.tif 000007
【図５】
2014513295.tif 000008
【図６】
2014513295.tif 000009
【図７】
2014513295.tif 000010
【図８】
2014513295.tif 000011
【国際調査報告】
2014513295.tif 000012
2014513295.tif 000013
2014513295.tif 000014
2014513295.tif 000015
2014513295.tif 000016
2014513295.tif 000017